(57)【要約】【課題】冷媒を巻線部に効率良く流入させることができるモータ装置を得る。【解決手段】ポンプモータ１０は、ロータ１４の径方向外側に配置されコア鉄心２４に多相の各相のコイル２６が巻き回されたステータ１２と、収容したステータ１２に対する軸線方向の一端側の外周部に冷媒入口３６及び冷媒出口３８が設けられたハウジングと、ステータ１２に対する軸線方向の一端側に配置され各相の各相のコイル２６に給電するためのターミナル４２Ｕ等を保持するターミナルホルダ４０と、ターミナルホルダ４０からコア鉄心２４側に突出して設けられ冷媒入口３６側を向く案内面５２Ｂを有する案内部５０と、を備えている。【選択図】図１
2008283821.tif 000002
【特許請求の範囲】
【請求項１】
ロータの径方向外側に配置され、コア鉄心に複数相の巻線が巻き回されたステータと、
前記ステータを収容し、該ステータに対する軸線方向の一端側において、該ステータの軸線に対する一方側の外周部で開口された冷媒入口と、前記軸線に対する他方側の外周部で開口された冷媒出口とが設けられたハウジングと、
前記ステータに対する軸線方向の一端側に該ステータの周方向に沿って配置され、該ステータの各相の巻線に給電するためのターミナルを保持するターミナルホルダと、
前記ターミナルホルダから前記ステータのコア鉄心側に突出して設けられ、前記冷媒入口側を向く案内面を有する案内部と、
を備えたモータ装置。
【請求項２】
前記案内部の案内面は、前記冷媒入口側及び前記コア鉄心側を共に向いている請求項１記載のモータ装置。
【請求項３】
前記案内部は、前記コア鉄心の軸線方向一端面における前記巻線に対する内周側に当接されている請求項１又は請求項２記載のモータ装置。
【請求項４】
前記案内部は、前記ターミナルホルダと前記コア鉄心との間の空間を、少なくとも前記冷媒入口側の空間と前記冷媒出口側の空間とに仕切るように形成されている請求項１〜請求項３の何れか１項記載のモータ装置。
【請求項５】
前記ターミナルホルダは、前記ステータと同軸的に配置される環状を成しており、
前記案内部は、前記ターミナルホルダの内縁に沿って前記コア鉄心側に突出された環状壁を有する請求項１〜請求項４の何れか１項記載のモータ装置。
【請求項６】
前記案内部は、前記環状壁から径方向外向きに突出するフィンを有する請求項５記載のモータ装置。
【請求項７】
前記ターミナルホルダから突出され前記ターミナルと前記巻線とを電気的に接続させた導通用突出部が、前記ステータの軸線方向から見て、前記冷媒入口及び冷媒出口の開口幅の範囲外に配置されている請求項１〜請求項６の何れか１項記載のモータ装置。
【発明の詳細な説明】
【技術分野】
【０００１】
本発明は、ハウジング内に冷媒等の流体が流入されるモータ装置に関する。
【背景技術】
【０００２】
ハウジング内を冷媒が通過する環境下で使用される回転電機が知られている（例えば、特許文献１参照）。
【特許文献１】特開２００６−２００５４１号公報
【発明の開示】
【発明が解決しようとする課題】
【０００３】
しかしながら、上記の如き従来の技術では、冷媒を巻線部に効率良く流入させることについて、改善の余地がある。
【０００４】
本発明は上記事実を考慮して、冷媒を巻線部に効率良く流入させることができるモータ装置を得ることが目的である。
【課題を解決するための手段】
【０００５】
請求項１記載の発明に係るモータ装置は、ロータの径方向外側に配置され、コア鉄心に複数相の巻線が巻き回されたステータと、前記ステータを収容し、該ステータに対する軸線方向の一端側において、該ステータの軸線に対する一方側の外周部で開口された冷媒入口と、前記軸線に対する他方側の外周部で開口された冷媒出口とが設けられたハウジングと、前記ステータに対する軸線方向の一端側に該ステータの周方向に沿って配置され、該ステータの各相の巻線に給電するためのターミナルを保持するターミナルホルダと、前記ターミナルホルダから前記ステータのコア鉄心側に突出して設けられ、前記冷媒入口側を向く案内面を有する案内部と、を備えている。
【０００６】
請求項１記載のモータ装置では、ターミナルホルダに保持されたターミナルを通じてステータの各巻線に給電されることで、所要の回転磁界が生じ、ロータが回転される。また、ハウジングの外周部で開口した冷媒入口からは、ステータの軸線との略直交面に沿って流体がハウジング内に流入される。ここで、本モータ装置では、ターミナルホルダに案内部が設けられているため、冷媒入口から流入した流体は、案内部に案内されてコア鉄心側に流れ方向が変換される。すなわち、この流体の流れが案内部によってステータの軸線方向の成分（ベクトル）を有する流れに変換される。これにより、流体はハウジング内におけるステータの軸線方向の他方側まで流入しやすくなり、流体と巻線との熱交換量を増大させることができる。
【０００７】
このように、請求項１記載のモータ装置では、冷媒を巻線部に効率良く流入させることができる。
【０００８】
請求項２記載の発明に係るモータ装置は、請求項１記載のモータ装置において、前記案内部の案内面は、前記冷媒入口側及び前記コア鉄心側を共に向いている。
【０００９】
請求項２記載のモータ装置では、案内部の案内面が冷媒入口側及びコア鉄心側を共に向いているため、冷媒入口から流入した流体の流れ方向をスムースにコア鉄心側に変換することができる。
【００１０】
請求項３記載の発明に係るモータ装置は、請求項１又は請求項２記載のモータ装置において、前記案内部は、前記コア鉄心の軸線方向一端面における前記巻線に対する内周側に当接されている。
【００１１】
請求項３記載のモータ装置では、案内部がコア鉄心の一端面に当接しているので流体がターミナルホルダとコア鉄心との間を通過することが抑制される。また、コア鉄心における案内部の当接部材が巻線に対する内周側であるため、案内部によって流れ方向が変換された流体が効率的に巻線に案内される。
【００１２】
請求項４記載の発明に係るモータ装置は、請求項１〜請求項３の何れか１項記載のモータ装置において、前記案内部は、前記ターミナルホルダと前記コア鉄心との間の空間を、少なくとも前記冷媒入口側の空間と前記冷媒出口側の空間とに仕切るように形成されている。
【００１３】
請求項４記載のモータ装置では、案内部によって流体がターミナルホルダとコア鉄心との間を通過して冷媒入口から冷媒出口に至ることが効果的に抑制される。これにより、流体が効率良く巻線側に導かれる。
【００１４】
請求項５記載の発明に係るモータ装置は、請求項１〜請求項４の何れか１項記載のモータ装置において、前記ターミナルホルダは、前記ステータと同軸的に配置される環状を成しており、前記案内部は、前記ターミナルホルダの内縁に沿って前記コア鉄心側に突出された環状壁を有する。
【００１５】
請求項５記載のモータ装置では、案内部の環状壁によって、流体がターミナルホルダ中央の孔部に導かれることが効果的に抑制される。これにより、流体が一層効率良く巻線側に導かれる。
【００１６】
請求項６記載の発明に係るモータ装置は、請求項５記載のモータ装置において、前記案内部は、前記環状壁から径方向外向きに突出するフィンを有する。
【００１７】
請求項６記載のモータ装置では、案内部のフィンによって流体の流れが外周向きの成分（ベクトル）を有するように流れ方向が変換される。これにより、ステータの外周側に位置する巻線の部分まで効率良く流体を行き渡らせることが可能になる。
【００１８】
請求項７記載の発明に係るモータ装置は、請求項１〜請求項６の何れか１項記載のモータ装置において、前記ターミナルホルダから突出され前記ターミナルと前記巻線とを電気的に接続させた導通用突出部が、前記ステータの軸線方向から見て、前記冷媒入口及び冷媒出口の開口幅の範囲外に配置されている。
【００１９】
請求項７記載のモータ装置では、ターミナルホルダの導通用突出部が冷媒入口と冷媒出口とを直線的に結ぶ範囲の外側に配置されているため、該導通用突出部が流体の流れ（変換）を遮ることが防止され、流体が効率良く巻線に導かれる。
【発明を実施するための最良の形態】
【００２０】
本発明の実施形態に係るモータ装置としてポンプモータ１０について、図１乃至図７に基づいて説明する。なお、各図に適宜示す矢印ＵＰは、重力方向の上側を示すものとする。
【００２１】
図１には、ポンプモータ１０の概略全体構成が示されている。この図に示される如く、ポンプモータ１０は、ステータ１２と、ステータ１２の軸心部に配設されたロータ１４と、ロータ１４の軸心部に固定された回転軸１６とを含むモータ機構１８と、モータ機構１８における回転軸１６の一部を除く部分を収容するモータハウジング２０とを備えて構成されている。
【００２２】
ステータ１２は、モータハウジング２０に対し相対回転不能に固定されており、回転軸１６は軸受２２を介してモータハウジング２０すなわちステータ１２に対し回転自在に軸支されている。この回転軸１６の先端には、図示しないインペラが一体回転するように取り付けられており、流体に駆動力を付与するポンプを構成している。
【００２３】
ロータ１４は、図５にも示される如く、周方向に交互に極性が異ならされた複数（偶数）のマグネット１５を、回転軸１６に固定して構成されている。図１に示される如く、ステータ１２は、コア鉄心２４に巻線を巻き回して多相のコイル２６を形成して構成されている。
【００２４】
具体的には、図５に示される如く、ステータ１２は、三相のブラシレスモータとされており、コア鉄心２４の所定数のスロット２４Ａに、Ｕ相、Ｖ相、及びＷ相のコイル２６Ｕ、２６Ｖ、２６Ｗが周方向に所定のパターンで配設されて構成されている。これにより、ステータ１２は、電気的には図６に示される如く構成されている。
【００２５】
各相のコイル２６Ｕ、２６Ｖ、２６Ｗの巻線の端末部２８Ｕ、２８Ｖ、２８Ｗ及び各相の共通端末部２８ＣＯＭは、それぞれ対応する２６におけるコア鉄心２４の径方向外端部分において、該コア鉄心２４の周方向に等間隔で配置されている。なお、図５では、便宜上、端末部２８Ｕ、２８Ｖ、２８Ｗ及び各相の共通端末部２８ＣＯＭを、コア鉄心２４の径方向外側に図示している。
【００２６】
モータハウジング２０は、円筒部３０と底部３２とを有する有底円筒状に形成されており、重力方向の上向きに開口するように配置されるようになっている。したがって、この実施形態では、ステータ１２、ロータ１４、回転軸１６の共通の軸線方向は、重力方向に一致されている。また、回転軸１６すなわちロータ１４をモータハウジング２０に対し回転自在に支持するための軸受２２は、底部３２の軸心部に突設されたボス部３２Ａに配置されている。
【００２７】
したがって、モータハウジング２０は、ステータ１２、ロータ１４、回転軸１６と同軸的に配置されている。また、モータハウジング２０内におけるボス部３２Ａ周りの空間は、潤滑油槽３４とされている。このモータハウジング２０の上向き開口部２０Ａには、図示しないポンプ部が接続される構成である。
【００２８】
そして、モータハウジング２０には、流体としての冷媒（この実施形態では、ガスと液体の混合体に潤滑油を含む冷媒）を流入させるための冷媒入口３６と、冷媒を流出させるための冷媒出口３８とが設けられている。冷媒入口３６は、モータハウジング２０の円筒部３０すなわち外周部で開口しており、軸線方向との直交方向から冷媒を流入させるようになっている。
【００２９】
図１及び図２に示される如く、冷媒出口３８は、側面視で軸線ＣＬに対し冷媒入口３６とは反対側に配置されると共に円筒部３０で開口しており、軸線方向との直交方向から冷媒を流出させるようになっている。この実施形態では、冷媒入口３６からは、潤滑油を含んだ冷媒が流入されるようになっている。
【００３０】
この実施形態では図２に示される如く、冷媒入口３６と冷媒出口３８とは、共にモータハウジング２０に軸心を向くように径方向に対向して配置されている。また、これら冷媒入口３６及び冷媒出口３８は、モータハウジング２０に収容されたステータ１２に対し、軸線方向において底部３２側と反対側すなわちモータハウジング２０の上向き開口部２０Ａ側に配置されている。
【００３１】
また、ポンプモータ１０は、モータハウジング２０内のステータ１２すなわち各相のコイル２６に給電する（外部電源回路と接続する）ためのターミナルホルダ４０を備えている。この実施形態では図４に示される如く、ターミナルホルダ４０は、略円環状に形成されている。
【００３２】
図４に示される如く、ターミナルホルダ４０は、Ｕ相のコイル２６Ｕに電気的に接続されるターミナル４２Ｕ、Ｖ相のコイル２６Ｖに電気的に接続されるターミナル４２Ｖ、Ｗ相のコイル２６Ｗに電気的に接続されるターミナル４２Ｗを保持している。各ターミナル４２Ｕ、４２Ｖ、４２Ｗは、外部電源回路側に接続されるコネクタ部４４を構成するように、それぞれ一端側がターミナルホルダ４０から突出されている。ターミナルホルダ４０におけるコネクタ部４４を構成する部分は外周が平坦面４０Ａとされている。
【００３３】
これらのターミナル４２Ｕ、４２Ｖ、４２Ｗは、ターミナルホルダ４０内を周方向に取り回され、それぞれの他端が導通用突出部としての接続脚部４６Ｕ、４６Ｖ、４６Ｗに連結（一体に形成）されている。また、ターミナルホルダ４０には、共通端末用の接続脚部４８が設けられている。接続脚部４６Ｕ、４６Ｖ、４６Ｗ、４８は、ターミナルホルダ４０の周方向に等間隔で配置されており、図１に示される如くターミナルホルダ４０からステータ１２側に突出されている。
【００３４】
図示は省略するが、ターミナルホルダ４０をモータハウジング２０（ステータ１２）に取り付けた状態では、接続脚部４６Ｕ、４６Ｖ、４６Ｗ、４８は、端末部２８Ｕ、２８Ｖ、２８Ｗ、２８ＣＯＭに電気的に接続されるように配置されている。これらの電気的接続部分は、例えば、接続脚部４６Ｕ、４６Ｖ、４６Ｗ、４８を、コア鉄心２４における端末部２８Ｕ、２８Ｖ、２８Ｗ、２８ＣＯＭが形成された凹部に圧入したり、また例えば、接続脚部４６Ｕ、４６Ｖ、４６Ｗ、４８を、端末部２８Ｕ、２８Ｖ、２８Ｗ、２８ＣＯＭにはんだ付けしたりする機械的に接続によって維持されるようになっている。
【００３５】
以上により、ポンプモータ１０では、ロータ１４を構成するマグネット１５の角位置に応じてターミナル４２Ｕ、４２Ｖ、４２Ｗを介して２６Ｕ、２６Ｖ、２６Ｗに１２０°ずつ位相のずれた矩形波等を入力することでステータ１２に所要の回転磁界が生じ、ロータ１４が回転軸１６と共に回転駆動されるようになっている。
【００３６】
また、ポンプモータ１０では、上記の通り端末部２８Ｕ、２８Ｖ、２８Ｗ、２８ＣＯＭに機械的に接続された接続脚部４６Ｕ、４６Ｖ、４６Ｗ、４８は、図２に示される如く、冷媒入口３６、冷媒出口３８の開口幅Ｗの範囲外に配置されている。換言すれば、接続脚部４６Ｕ、４６Ｖ、４６Ｗ、４８は、冷媒入口３６、冷媒出口３８の開口縁を結ぶ一対の仮想直線ＩＬ間の領域内には配置されない構成とされている。
【００３７】
そして、図１に示される如く、ポンプモータ１０では、冷媒入口３６から流入した冷媒を各相のコイル２６側に案内するための案内部５０を備えている。案内部５０は、ターミナルホルダ４０からコア鉄心２４側に一体的に突出されている。以下、案内部５０について具体的に説明する。
【００３８】
図２及び図３（Ｂ）に示される如く、案内部５０は、ターミナルホルダ４０の内縁に沿って突出された底面視で円環状を成す環状壁５２と、環状壁５２とターミナルホルダ４０に跨るように該環状壁５２から径方向外側に張り出された立壁５４とを含む。
【００３９】
環状壁５２は、ターミナルホルダ４０側に向けて外径が徐々に拡大されており、図３（Ａ）に示される如く、その外周面５２Ａは径方向外側（矢印Ａ方向）、及び下側（矢印Ｂにて示す軸線方向のコア鉄心２４側）を共に向くように湾曲された構成とされている。この環状壁５２の外周面５２Ａのうち、図１及び図２に示される如く冷媒入口３６側を向く部分（ターミナルホルダ４０の平坦面４０Ａ側部分）が案内面５２Ｂとされている。図１に示される如く、環状壁５２は、コア鉄心２４における各相のコイル２６の巻回し範囲の径方向内側に着座（当接）している。
【００４０】
一方、立壁５４は、図２及び図３に示される如く、冷媒入口３６と冷媒出口３８とを結ぶ方向との略直交方向に沿って延在され、環状壁５２からターミナルホルダ４０の外周面４０Ｂまで至っている。図示は省略するが、立壁５４は、コア鉄心２４における周方向に隣り合うコイル２６間に着座（当接）している。
【００４１】
したがって、ポンプモータ１０では、モータハウジング２０内におけるターミナルホルダ４０とコア鉄心２４との間の空間（ターミナルホルダ４０の径方向外側を除く空間）が、案内部５０すなわち環状壁５２と立壁５４とによって、冷媒入口３６側の空間と冷媒出口３８側の空間とに仕切られている。
【００４２】
以上説明したポンプモータは、例えば冷媒を循環させて廃熱を回収する廃熱回収装置等に適用されおり、この実施形態では、冷媒入口３６から流入され冷媒出口３８から流出される冷媒に駆動力を付与する構成とされている。
【００４３】
次に、実施形態の作用を説明する。
【００４４】
上記構成のポンプモータ１０では、ターミナルホルダ４０のターミナル４２Ｕ、４２Ｖ、４２Ｗを介して多相のコイル２６Ｕ、２６Ｖ、２６Ｗに給電が行われると、ロータ１４が回転軸１６と共に回転駆動され、回転軸１６に連結されたインペラが冷媒に駆動力を付与する。この駆動力によって冷媒は所要の経路を循環して廃熱回収に供される。この過程で、ポンプモータ１０の冷媒入口３６からは、潤滑油を含んだ冷媒がモータハウジング２０内に流入される。
【００４５】
ここで、ポンプモータ１０では、ターミナルホルダ４０に案内部５０が設けられているため、図７に示される如く、冷媒入口３６から軸線ＣＬとの略直交方向（矢印Ｃ参照）に沿って流入した冷媒の流れ方向は、案内部５０の案内面５２Ｂに案内されて、下向き（矢印Ｄ参照）に変換される。また、案内面５２Ｂ（環状壁５２）の外側を回り込もうとする冷媒は、立壁５４によって冷媒出口３８側への流出が抑制され、下向きに流れ方向が変換される。これらにより、冷媒は、主に冷媒入口３６側に位置する各相のコイル２６間（コア鉄心２４のスロット２４Ａ）を流れ、この冷媒の流れによって各相のコイル２６が冷却される。
【００４６】
潤滑油槽３４まで至った冷媒は、流れ方向が上向きに変換（矢印Ｅ参照）される。この際、潤滑油の一部が冷媒から分離されて一旦潤滑油槽３４に溜められる。流れ方向が上向きに変換された冷媒は、主に冷媒出口３８側に位置するコイル２６間（コア鉄心２４のスロット２４Ａ）を流れ、この冷媒によって各相のコイル２６が冷却される。また、コア鉄心２４の上側まで至った冷媒は、環状壁５２の外周面５２Ａに案内されてスムースに冷媒出口３８から排出される（矢印Ｆ参照）。
【００４７】
このように、ポンプモータ１０では、ターミナルホルダ４０に案内部５０を設けたため、冷媒を各相のコイル２６間で効率良く流動させ、各相のコイル２６を効果的に冷却させることができる。例えば、図１１に示される比較例に係るポンプモータ１００では、図１２（Ａ）〜図１２（Ｃ）に示される如く案内部５０が設けられていないターミナルホルダ４０を用いているため、冷媒入口３６から流入した冷媒の主流は、ターミナルホルダ４０とコア鉄心２４との間を通過して冷媒出口３８から流出してしまう。
【００４８】
これに対して、ポンプモータ１０では、ターミナルホルダ４０に案内部５０が設けられているため、冷媒がターミナルホルダ４０とコア鉄心２４との間を通過することが抑制されると共に、冷媒の流れがコア鉄心２４側に案内される。したがって、ポンプモータ１０では、冷媒入口３６及び冷媒出口３８がコア鉄心２４に対する一方側（上側）に配置された構成でありながら、上記した通り各相のコイル２６の冷却が効果的に行われ、巻線抵抗値の上昇が防止又は抑制される。巻線抵抗値の上昇の抑制又は防止は、損失の低減すなわちポンプモータ１０の効率向上に寄与する。
【００４９】
また、ポンプモータ１０では、案内部５０の案内面５２Ｂが冷媒入口３６側及びコア鉄心２４側を共に向いているため、冷媒入口３６から軸線ＣＬとの略直交方向（矢印Ｃ方向）に流入してきた冷媒の流れが、スムースに軸線ＣＬ方向の成分（ベクトル）を持つ流れに変換される。
【００５０】
さらに、ポンプモータ１０では、案内部５０の環状壁５２がコア鉄心２４における各相のコイル２６の径方向内側に位置する端面に当接されているため、上記の通り流れ方向を変換した冷媒が効率的に各相のコイル２６間に流入する。しかも、該コア鉄心２４における各相のコイル２６の径方向内側に位置する端面に当接される部分が環状壁５２であるため、冷却対象であるコイル２６の存在しないコア鉄心２４の内側部分（マグネット１５の配設部分）への冷媒流入が抑制され、冷媒が一層効率的に各相のコイル２６間に流入する。
【００５１】
さらにまた、案内部５０には、環状壁５２から張り出された立壁５４が設けられているため、換言すれば、環状壁５２と立壁５４とで、ターミナルホルダ４０とコア鉄心２４との間の空間を冷媒入口３６側と３８側とに仕切っているため、環状壁５２の外側を冷媒が回り込んでしまうことが効果的に抑制され、この冷媒を各相のコイル２６間に流入させることができる。
【００５２】
また、ポンプモータ１０では、ターミナルホルダ４０から突出された接続脚部４６Ｕ、４６Ｖ、４６Ｗ、４８が冷媒入口３６及び冷媒出口３８の開口幅Ｗの範囲外に配置されているため、これら接続脚部４６Ｕ、４６Ｖ、４６Ｗ、４８が冷媒の流れを乱してしまうことが防止され、上記の通り冷媒は案内面５２Ｂ等に案内されて各相のコイル２６間により効果的に流入させることができる。
【００５３】
（案内部の変形例）
次に、ポンプモータ１０を構成する案内部の変形例を説明する。なお、上記実施形態と基本的に同一の部品・部分については、上記第１の実施形態と同一の符号を付して説明を省略する。
【００５４】
（第１変形例）
図８（Ａ）には、第１変形例に係る案内部６０が底面図にて示されており、図８（Ｂ）には、第１変形例に係る案内部６０が斜視図にて示されている。
【００５５】
これらの図に示される如く、底面視で冷媒入口３６側に向けて凹となる円弧状を成し冷媒入口３６側を向くようにターミナルホルダ４０から突設された第１案内壁６２を有する。第１案内壁６２は、冷媒入口３６側（矢印Ａ方向）及びコア鉄心２４側（矢印Ｂ方向）を共に向くように傾斜（湾曲）された案内面６２Ａを有する。
【００５６】
また、案内部６０は、ターミナルホルダ４０の軸心よりも冷媒出口３８側でターミナルホルダ４０の内縁から外縁（外周面４０Ｂ）まで至るように立設された第２案内壁６４と、第１案内壁６２と第２案内壁６４との間から立設された第３案内壁６６とを有する。第２案内壁６４、第３案内壁６６は、ターミナルホルダ４０の軸心孔部を挟んでそれぞれ２つに分離されており、それぞれが円弧状を成している。また、第３案内壁６６は、ターミナルホルダ４０の外縁（外周面４０Ｂ）までは至らない範囲で立設されている。
【００５７】
以上説明した案内部６０を備えたポンプモータ１０では、冷媒入口３６から流入された冷媒は、主に案内面６２Ａに案内されて各相のコイル２６間に流入される。また、第１案内壁６２の幅方向外側に回り込んだ冷媒は、第２案内壁６４、第３案内壁６６に塞き止められて冷媒出口３８側に流れることが抑制される。
【００５８】
したがって、第１変形例に係る案内部６０が案内部５０に代えて設けられた構成によっても、基本的に上記実施形態と同様の作用によって同様の効果を得ることができる。すなわち、案内部５０が環状壁５２を有することによる効果、及び案内部５０がターミナルホルダ４０とコア鉄心２４との間の空間を仕切ることによる効果を除き、上記実施形態と同様の作用によって同様の効果を得ることができる。
【００５９】
（第２変形例）
図９（Ａ）には、第２変形例に係る案内部７０が底面図にて示されており、図９（Ｂ）には、第２変形例に係る案内部７０が斜視図にて示されている。
【００６０】
これらの図に示される如く、案内部７０は、環状壁５２から径方向外向きに張り出された複数（この変形例では５つ）のフィン７２を有する。各フィン７２は、環状壁５２とターミナルホルダ４０とに跨るように設けられ、ターミナルホルダ４０の外縁（外周面４０Ｂ）までは至らない長さに設定されている。なお、冷媒入口３６側に張り出されたフィン７２は、平坦面４０Ａまで至っている。
【００６１】
また、案内部７０は、冷媒入口３６と冷媒出口３８とを結ぶ方向との略直交方向に沿って延在された立壁７４を有する。立壁７４の径方向内端は、環状壁５２（の最小径部）までは至らない構成とされている。
【００６２】
以上説明した案内部７０を備えたポンプモータ１０では、冷媒入口３６から流入された冷媒は、立壁７４によって冷媒出口３８側に流出することが抑制されつつ、案内面５２Ｂに案内されて各相のコイル２６間に流入される。また、環状壁５２の外側に回り込んだ冷媒は、フィン７２によって径方向外側（冷媒出口３８の存在しない側）に案内されつつ、各相のコイル２６間に流入される。
【００６３】
したがって、第２変形例に係る案内部７０が案内部５０に代えて設けられた構成によっても、基本的に上記実施形態と同様の作用によって同様の効果を得ることができる。すなわち、案内部５０がターミナルホルダ４０とコア鉄心２４との間の空間を仕切ることによる効果を除き、上記実施形態と同様の作用によって同様の効果を得ることができる。また、案内部７０を有する構成では、冷媒がフィン７２に案内されて外周側に行き渡るため、各相のコイル２６の冷却効果が向上する。
【００６４】
（第３変形例）
図１０（Ａ）には、第３変形例に係る案内部８０が底面図にて示されており、図１０（Ｂ）には、第３変形例に係る案内部８０が斜視図にて示されている。
【００６５】
これらの図に示される如く、案内部８０は、環状壁５２から外周側に張り出された複数（この変形例では７つ）のフィン８２を有する。各フィン８２は、底面視で環状壁５２の径方向との交差ように湾曲されている。これら各フィン８２は、環状壁５２とターミナルホルダ４０とに跨るように設けられ、ターミナルホルダ４０の外縁（外周面４０Ｂ、平坦面４０Ａ）までは至らない長さに設定されている。
【００６６】
以上説明した案内部８０を備えたポンプモータ１０では、冷媒入口３６から流入された冷媒は、案内面５２Ｂに案内されて各相のコイル２６間に流入される。また、環状壁５２の外側に回り込んだ冷媒は、フィン８２によって径方向外側（冷媒出口３８の存在しない側）に案内されつつ、各相のコイル２６間に流入される。
【００６７】
したがって、第２変形例に係る案内部８０が案内部５０に代えて設けられた構成によっても、基本的に上記実施形態と同様の作用によって同様の効果を得ることができる。すなわち、案内部５０がターミナルホルダ４０とコア鉄心２４との間の空間を仕切ることによる効果を除き、上記実施形態と同様の作用によって同様の効果を得ることができる。また、案内部８０を有する構成では、冷媒がフィン８２に案内されて外周側に行き渡るため、各相のコイル２６の冷却効果が向上する。
【００６８】
なお、上記実施形態では、ポンプモータ１０の多相のコイル２６が自ら循環させる冷媒にて冷却される例を示したが、本発明はこれに限定されず、例えば、他の装置にて駆動される冷媒が冷媒入口３６から流入され冷媒出口３８から流出されるモータ装置にも本発明を適用可能である。
【００６９】
また、本発明は、ポンプモータへの適用に限定されることはなく、ステータに巻線が巻き回され構成された各種モータ（用途が限定されないことは言うまでもない）に対し本発明を適用可能である。
【図面の簡単な説明】
【００７０】
【図１】本発明の実施形態に係るポンプモータの概略全体構成を示す側断面図である。
【図２】本発明の実施形態に係るポンプモータの要部を拡大して示す底面図である。
【図３】本発明の実施形態に係るポンプモータを構成するターミナルホルダ及び案内部を示す図であって、（Ａ）はカット図、（Ｂ）は底面側から見た斜視図である。
【図４】本発明の実施形態に係るポンプモータを構成するターミナルホルダの内部構造を示す平面断面図である。
【図５】本発明の実施形態に係るポンプモータを構成するステータを模式的に示す平面図である。
【図６】本発明の実施形態に係るポンプモータを構成するステータの回路図である。
【図７】本発明の実施形態に係るポンプモータのハウジング内での冷媒の流れ方向を示す側断面図である。
【図８】本発明の実施形態に係るポンプモータを構成する案内部の第１変形例を示す図であって、（Ａ）は底面図、（Ｂ）は底面側から見た斜視図である。
【図９】本発明の実施形態に係るポンプモータを構成する案内部の第２変形例を示す図であって、（Ａ）は底面図、（Ｂ）は底面側から見た斜視図である。
【図１０】本発明の実施形態に係るポンプモータを構成する案内部の第３変形例を示す図であって、（Ａ）は底面図、（Ｂ）は底面側から見た斜視図である。
【図１１】本発明の実施形態との比較例に係るポンプモータの側断面図である。
【図１２】本発明の実施形態との比較例に係るポンプモータを構成するターミナルホルダを示す図であって、（Ａ）は斜視図、（Ｂ）は底面図、（Ｃ）は断面図である。
【符号の説明】
【００７１】
１０・・・ポンプモータ、１２・・・ステータ、１４・・・ロータ、２０・・・モータハウジング、２４・・・コア鉄心、２６・２６Ｕ・２６Ｖ・２６Ｗ・・・コイル（巻線）、３６・・・冷媒入口、８・・・冷媒出口、４０・・・ターミナルホルダ、４２Ｕ・４２Ｖ・４２Ｗ・・・ターミナル、４６Ｕ・４８・・・接続脚部（導通用突出部）、５０・・・案内部、５２・・・環状壁、５２Ｂ・・・案内面、６０・７０・８０・・・案内部、７２・８２・・・フィン
【図１】
2008283821.tif 000003
【図２】
2008283821.tif 000004
【図３】
2008283821.tif 000005
【図４】
2008283821.tif 000006
【図５】
2008283821.tif 000007
【図６】
2008283821.tif 000008
【図７】
2008283821.tif 000009
【図８】
2008283821.tif 000010
【図９】
2008283821.tif 000011
【図１０】
2008283821.tif 000012
【図１１】
2008283821.tif 000013
【図１２】
2008283821.tif 000014